(57)【特許請求の範囲】
【請求項１】
コネクタハウジング内の複数段の端子収容部に電線付きの端子を挿着し、該コネクタハウジング内のスペーサ収容部にスペーサを挿着して、該スペーサで該端子の係止と該電線の押圧とを行わせるコネクタの電線ガタ防止構造において、
前記スペーサ収容部に続いて前記コネクタハウジング内に複数段の電線収容部が電線長手方向の段差を持って形成され、該複数段の電線収容部に対応して前記スペーサに複数段の壁部が段付きに形成され、該複数段の電線収容部に続く壁部に対向して、該複数段の壁部に電線押圧用の突部が電線長手方向に位置ずれして設けられ、該スペーサの挿着と同時に各突部が各電線収容部に続く壁部に各電線を押し付けることを特徴とするコネクタの電線ガタ防止構造。
【請求項２】
前記コネクタハウジングのスペーサ収容部の入口側で一段目の電線収容部が短く形成され、該スペーサ収容部の奥側で二段目の電線収容部が長く形成され、一段目と二段目の電線収容部の間の段差壁部に対向して一段目の突部が位置し、二段目の電線収容部に続く壁部に対向して二段目の突部が位置することを特徴とする請求項１記載のコネクタの電線ガタ防止構造。
【請求項３】
前記スペーサの基壁部に前記一段目の突部が設けられると共に、該突部から電線長手方向にずれて端子収容部が設けられ、該端子収容部の外壁部に前記二段目の突部が設けられたことを特徴とする請求項２記載のコネクタの電線ガタ防止構造。
【請求項４】
前記基壁部と前記外壁部とに端子係止用の突出部が設けられたことを特徴とする請求項３記載のコネクタの電線ガタ防止構造。
【請求項５】
前記突部が電線傷付き防止用の傾斜面あるいは円弧面を有することを特徴とする請求項１〜４の何れかに記載のコネクタの電線ガタ防止構造。
【請求項６】
前記コネクタハウジングのスペーサ収容部内に端子支持部が設けられたことを特徴とする請求項１〜５の何れかに記載のコネクタの電線ガタ防止構造。
【発明の詳細な説明】
【０００１】
【発明の属する技術分野】
本発明は、コネクタハウジングにスペーサを挿入して端子の係止と電線の押圧とを同時に行うコネクタの電線ガタ防止構造に関するものである。
【０００２】
【従来の技術】
図５〜図６は、実開昭５５−９２２８５号公報に記載された従来のコネクタの電線ガタ防止構造を示すものである。
この構造は、雄型のコネクタハウジング６０内に電線付きの雌型の端子６１を挿入し、端子二重係止用のスペーサ６３で端子６１の後部を係止すると共に、電線６２を押圧して固定可能としたものである。
【０００３】
コネクタハウジング６０は合成樹脂で形成され、上下二段に複数の端子収容室６４を有している。各端子６１は上下の端子収容室６４に背中合わせに挿着され、可撓性の係止片６５（図６）でコネクタハウジング６０の隔壁６６の段部に係止される。
【０００４】
コネクタハウジング６０の長手方向中間部において、上下の壁部６７にスペーサ挿入用の開口部６８が設けられている。各開口部６８からコネクタハウジング６０内にスペーサ６３が端子挿入方向とは直交する方向に挿着され、係止突起６９で開口縁に係止される。
【０００５】
スペーサ６３は合成樹脂で形成され、端子収容室６４内に突出する端子係止用兼電線押圧用の壁部７０を有している。壁部７０の前端の垂直な面７０ａに端子６１の後端が当接し、壁部７０の水平な面７０ｂで電線６２が径方向に押圧される。端子６１の後端は電線６２の絶縁被覆を圧着した圧着片７１の後端であり、電線６２の芯線は前側の圧着片７２で圧着されている。
【０００６】
【発明が解決しようとする課題】
電線６２をスペーサ６３で押圧する目的は、車両の振動等による電線６２のガタを防止し、端子６１が電線６２と一体的に長手方向や径方向に細かく振れたり、位置ずれしたりすることを防止し、相手側コネクタ（図示せず）内の雄型の端子と本例のコネクタ７３（図６）の雌型の端子６１との摺接による磨耗や接触性の低下を防止することにある。特に近年は、車両の回路数の増加とコネクタの小型化・端子の小型化に伴って、端子相互の接触荷重が低減される傾向にあり、車両の振動等によって端子相互の接触が不安定になる恐れがある。この問題を解決するためには電線６２を確実に押圧して固定する必要がある。
【０００７】
しかしながら、上記従来の構造にあっては、スペーサ６３の壁部７０で端子６１の係止と電線６２に押圧とを兼ねているために、壁部７０の前端及び後端のエッジが鋭く、エッジで電線６２を傷付ける心配があった。壁部７０の前端のエッジを面取等で削れば、電線６２の傷付きは防止されるが、端子６１の後端との当接面積が減って、端子６１の係止力が低下してしまうという問題を生じる。また、スペーサ６３の壁部７０が平坦な面７０ｂで電線６２の表面に面接触ないしは電線長手方向に線接触するために、押圧力が弱く、強い振動や電線６２の引張や曲げ等に対しては、電線６２の固定が不十分であるという問題があった。
【０００８】
また、コネクタハウジング６０内の上下二段の端子６１に対応してそれぞれスペーサ６３が必要であり、スペーサ６３の部品点数や組付工数が増加するという問題があった。また、コネクタハウジング６０内に上下二段の各端子６１を背中合わせに配列しなければならず、上下二段の端子６１を同一の向きに、すなわち各段の端子６１をそれぞれ上向きに、ないしはそれぞれ下向きに配列する形態のコネクタには対応できないという問題があった。
【０００９】
本発明は、上記した各点に鑑み、コネクタハウジング内の複数段の端子付きの電線に対応して、スペーサで電線を傷めることなく確実に押圧でき、車両の振動等による電線や端子のガタ（振れ）やずれを確実に防止できると共に、スペーサの部品点数や組付工数を削減でき、しかもコネクタハウジング内に上下の端子を同じ方向に配列できるコネクタの電線ガタ防止構造を提供することを目的とする。
【００１０】
【課題を解決するための手段】
上記目的を達成するために、本発明は、コネクタハウジング内の複数段の端子収容部に電線付きの端子を挿着し、該コネクタハウジング内のスペーサ収容部にスペーサを挿着して、該スペーサで該端子の係止と該電線の押圧とを行わせるコネクタの電線ガタ防止構造において、前記スペーサ収容部に続いて前記コネクタハウジング内に複数段の電線収容部が電線長手方向の段差を持って形成され、該複数段の電線収容部に対応して前記スペーサに複数段の壁部が段付きに形成され、該複数段の電線収容部に続く壁部に対向して、該複数段の壁部に電線押圧用の突部が電線長手方向に位置ずれして設けられ、該スペーサの挿着と同時に各突部が各電線収容部に続く壁部に各電線を押し付けることを特徴とする（請求項１）。
前記コネクタハウジングのスペーサ収容部の入口側で一段目の電線収容部が短く形成され、該スペーサ収容部の奥側で二段目の電線収容部が長く形成され、一段目と二段目の電線収容部の間の段差壁部に対向して一段目の突部が位置し、二段目の電線収容部に続く壁部に対向して二段目の突部が位置する構造も可能である（請求項２）。この場合、前記スペーサの基壁部に前記一段目の突部が設けられると共に、該突部から電線長手方向にずれて端子収容部が設けられ、該端子収容部の外壁部に前記二段目の突部が設けられる（請求項３）。
また、前記基壁部と前記外壁部とに端子係止用の突出部が設けられたことも有効である（請求項４）。また、前記突部が電線傷付き防止用の傾斜面あるいは円弧面を有することも有効である（請求項５）。また、前記コネクタハウジングのスペーサ収容部内に端子支持部が設けられたことも有効である（請求項６）。
【００１１】
【発明の実施の形態】
以下に本発明の実施の形態の具体例を図面を用いて詳細に説明する。
図１〜図４は、本発明に係るコネクタの電線ガタ防止構造の一実施例を示すものである。
【００１２】
この構造は、合成樹脂製の雄型のコネクタハウジング１の底壁２，２′にスペーサ挿入用の開口部（スペーサ収容部）３を端子挿入直交方向に切欠して設け、一つの合成樹脂製のスペーサ７を開口部３内に挿入して仮係止させ、コネクタハウジング１の上下二段の端子収容部（端子収容室）４，５に電線付きの端子６（図３）をそれぞれ下向きの姿勢で挿着し、スペーサ７を仮係止から本係止に移行させることで、スペーサ７の前端側で端子６を係止し、スペーサ７の後端側の上下二段の前後（端子挿入離脱方向）に位置ずれした押圧用の突部８，９で各電線１０をコネクタハウジング１の上下の壁部１１，１２に向けて押圧するものである。
【００１３】
図１の如く、コネクタハウジング１はスペーサ挿入用の開口部３の前側に上下二段の端子収容部４，５を有し、開口部３の後側に電線収容部１３，１４を有している。上下の各端子収容部４，５の底壁１２′，２′に端子一次係止用の可撓性の各係止ランス１５が一体に形成されている。
【００１４】
下段の電線収容部１４は前側の部分が切欠されて短くなっており、この切欠部１６の長さ（段差）Ｌだけ上段の電線収容部１３が前方に長くなっている。上段の電線収容部１３の薄肉の底壁（壁部）１２は下段の電線収容部１４の厚肉の底壁２よりも長く前方に延長され、この延長された壁部（段差壁部）１２ａにより長さＬの段差が構成されている。壁部１２ａは下段の電線収容部１４の前方に続いている。底壁１２は上下の電線収容部１３，１４間の隔壁を兼ねている。下段の底壁２は開口部３の入口３ａに続いている。
【００１５】
上段の電線収容部１３の上壁（壁部）１１はコネクタハウジング１の厚肉の上壁を兼ね、上壁１１は電線収容部１３の前方に長く続いている。開口部３は下段の底壁２，２′から上段の端子収容部４の高さ方向中間部まで続いている。コネクタハウジング１の左右両側の側壁１７には、上壁１１のほぼ厚さ方向中間部まで矩形状の切欠部（図示せず）が開口部３に連続して形成されている。
【００１６】
開口部３内の前後方向中間部において開口部３の上端側からＬ字状ないしは門柱状の端子落下防止用の端子支持部１８が上段の電線収容部１３の底壁１２と同一高さまで垂下形成されている。端子支持部１８は、開口部３の入口３ａに向かう垂直な壁部１９と、電線収容部１３の底壁１２と同一高さの水平な壁部２０とを有し、壁部２０の上面で端子６を支持可能である。
【００１７】
開口部３内において上段の電線収容部１３の前方に、コネクタハウジング１の両側の側壁１７から内側に突出して、スペーサ仮係止用の突部２１が設けられている。突部２１は下向きのガイド傾斜面２１ａと上向きの水平な係止面２１ｂとを有している。また、突部２１の上側において、下段の電線収容部１４の前方にスペーサ本係止用の突部２２が両側の側壁１７から内側に突出して設けられている。突部２２は下向きのガイド傾斜面２２ａと上向きの水平な係止面２２ｂとを有している。
【００１８】
コネクタハウジング１の上壁１１には相手側の雌型のコネクタハウジング（図示せず）に対するロックアーム２３が設けられている。また、コネクタハウジング１の前端部には、端子収容部４，５に続く前部開口２４が設けられている。前部開口２４には合成樹脂製のフロントホルダ２５が挿着される。
【００１９】
スペーサ７は、コネクタハウジング１の底壁２，２′の外面と同一面に位置して開口部３の入口３ａを塞ぐ基壁部２７と、基壁部２７上に並列に立設され、下段の端子収容部５の延長部（端子収容室３１）を構成する複数の隔壁２８（図２）と、各隔壁２８の上端部を水平に連結して、基壁部２７と平行に位置する上壁部（外壁部）２９と、基壁部２７の両側から立設された一対の側板部３０，３０（図２）とを有している。
【００２０】
基壁部２７は上壁部２９よりも後方に少し長く延長され、その延長部２７ａの上面に、コネクタハウジング１内の下段側の端子付きの電線１０に対する押圧用の突部９が設けられている。また、上壁部２９の後端寄りの上面に、コネクタハウジング１内の上段側の端子付きの電線１０に対する押圧用の突部８が設けられている。
【００２１】
各突部８，９は縦断面略台形状に形成され、前後にテーパ状の傾斜面８ａ，８ｂ，９ａ，９ｂを有し、前後の傾斜面８ａ，８ｂ，９ａ，９ｂに間に水平な幅狭な頂面８ｃ，９ｃを有している。頂面８ｃ，９ｃは各傾斜面８ａ，８ｂ，９ａ，９ｂよりも小さな面積で形成されている。各突部８，９を縦断面円弧状に形成したり、あるいは半球状に形成することも可能である。
【００２２】
上下の各突部８，９は前後にコネクタハウジングの段差Ｌのピッチで位置ずれして配置されている。下側の突部９はコネクタハウジング１の下段の電線収容部１４の上壁（上段の電線収容部１３の底壁すなわち隔壁）１２の段差壁部１２ａに対向し、上側の突部８は上段の電線収容部１３の上壁１１の前側の延長部分１１ａに対向して位置する。
【００２３】
図２の如く、突部９は基壁部２７上において端子収容部３１の中央の延長上に位置し、突部８は上壁部２９上において端子収容部３１の高さ方向の中心線（図示せず）の延長上に位置している。下側の突部９の前端の側方に隔壁２８の後端が位置している。隔壁２８と上壁部２９の各後端には端子挿入用のガイド面取３２が施されている。隔壁２８と基壁部２７と上壁部２９とで縦断面矩形状の貫通した端子収容部３１が構成されている。両端側の隔壁２８は側板部３０に続いている。
【００２４】
図１の如く、上壁部２９の長手方向中間部に、コネクタハウジング１の端子支持壁１８に対する垂直方向の挿通孔３３が形成され、挿通孔３３の側方にガイド壁３４が位置し、ガイド壁３４の上端部３４ａが上壁部２９から上方に突出して、隔壁２８寄りにオフセットして位置している。
【００２５】
端子収容部３１の前半において端子収容部３１の両側で基壁部２７の上面が上向きにやや傾斜して突出し、この突出部３５，３６の前端３５ａ，３６ａが基壁部２７の前端と同一面に位置している。各突出部３５，３６の上側において上壁部２９から同様に突出部３７，３８が形成され、各突出部３７，３８の前端３７ａ，３８ａが上壁部２９の前端と同一面に位置している。各突出部３５〜３８の前端３５ａ〜３８ａで端子６（図４）の後段部４０が係止される。
【００２６】
スペーサ７の両側の側板部３０は上壁部２９よりも高く突出し、側板部３０の後端側において、上側に、コネクタハウジング１の仮係止用の突部２１に対する仮係合用のアーム４１を有し、下側に、本係止用の突部２２に対する本係合用の突部４３を有している。アーム４１と突部４３との間において側板部３０の後端はテーパ状の段部５５（図２）を介して後方にやや延長されている。
【００２７】
アーム４１は後向きの爪部４２を有し、アーム４１の前側にはスリット状の撓み空間４４が形成されている。爪部４２は上向きの傾斜面４２ａと下向きの水平な係合面４２ｂを有し、突部４３は上下両側に傾斜面４３ａを有している。アーム４１は突部４３よりもやや前方に位置している。
【００２８】
スペーサ７の基壁部２７の前端に可撓性の連結片４５を介してフロントホルダ２５が一体に連結されている。連結片４５で一体化することで部品（７，２５）の落下や紛失等が防止されると共に組付離脱作業が容易化する。コネクタハウジング１の底壁２′には、連結片４５を収容する溝部４９が形成されている。
【００２９】
フロントホルダ２５は、コネクタハウジング１の各端子収容部４，５に対応して端子６の前端部を挿入させる短い収容部４６と、収容部４６に続く相手側端子挿入孔４７とを有し、コネクタハウジング１の前部開口２４に挿着され、外周側の係止部４８で開口縁に固定される。
【００３０】
フロントホルダ２５を用いてコネクタハウジング１の前部開口２４を大きく開口させたことで、コネクタハウジング１の樹脂成形（型抜き）が容易化し、複雑な形状の段付きの電線収容部１３，１４や露出した壁部１２ａや端子支持部１８や係止用の各突部２１，２２等の形成が可能となっている。
【００３１】
図３の如く、フロントホルダ２５が挿着され、且つスペーサ７がコネクタハウジング１に仮係止された状態で、電線付きの端子６が後方からコネクタハウジング１の端子収容部４，５に挿入され、係止ランス１５で一次係止される。スペーサ７は完全には押し込まれず、開口部３から下向きに少し突出している。
【００３２】
端子６は箱状の電気接触部５０を有する雌型のものであり、電気接触部５０の前端寄りに形成された段部５１に係止ランス１５の前端が当接して、端子６が一次係止される。電気接触部５０の後方には段差をもって繋ぎ部５２が続き、繋ぎ部５２の後方に、電線１０に対する小径の導体圧着片５３と大径の被覆圧着片５４が続いている。電気接触部５０内には接触用のばね片（図示せず）が収容されている。上下の各端子６は背中を上に向けた状態で挿入されている。
【００３３】
端子６の挿入時に先端側の電気接触部５０がコネクタハウジング１の支持壁１８に沿って挿入されることで、上側の端子収容室４の途中の大きな開口部３内への端子６の落ち込みが防止され、端子６がスムーズ且つ確実に端子収容部４内に挿入される。端子挿入後は、端子６の被覆圧着片５４が端子支持部１８で支持され、スペーサ７の仮係止状態における端子６の落ち込みが防止される。また、スペーサ７を仮係止から図４の本係止へ移行させる際に、その時の振動等で上段の端子６が開口部３内に落ち込むことが防止される。下段の端子６はスペーサ７の基壁部２７によって挿入時及び挿入後の落ち込みが防止される。
【００３４】
スペーサ７の仮係止状態で、仮係合用のアーム４１（図１）の爪部４２はコネクタハウジング１の仮係止用の突部２１（図１）を乗り越えて、突部２１の上側に係合し、それと同時に、下側の本係合用の突部４３が本係止用の突部２２（図１）の下側の傾斜面２２ａに接触している。それにより、スペーサ７が上下方向に不動に仮保持されている。基壁部２７と上壁部２９の前端の突部３５〜３８（図１）は各端子収容部４，５の底壁１２′，２′とほぼ同一面に位置し、それにより各端子６がスペーサ７と干渉することなく挿入される。
【００３５】
スペーサ７の基壁部２７を上向きにやや強く押圧することで、図４の如くスペーサ７がコネクタハウジング１の開口部３内に完全に挿入されて本係止される。スペーサ７の本係合用の突部４３（図１，図２）はコネクタハウジング１の本係止用の突部４３を乗り越えて、突部４３の上側の傾斜面３２ａに係合する。
【００３６】
スペーサ７の本係止に際して、スペーサ７の上下の電線押圧用の各突部８，９が、上下の各端子６の被覆圧着片５４の近傍（やや後側）において各電線１０を押圧する。下段の電線１０は上段の電線収容部１３の底壁（下段の電線収容部１４の上壁）１２の前側の段差壁部１２ａの下面に押し付けられ、上段の電線１０は上段の電線収容部１３の上壁（壁部）１１の前側の延長部分１１ａの下面に押し付けられる。
【００３７】
各突部８，９は中央の小さな面積の頂面８ｃ，９ｃを中心として電線１０の絶縁被覆を強い圧力で押圧し、絶縁被覆を部分的に圧縮して凹ませ、突部８，９の先端側が絶縁被覆内に食い込むように接触する。電線１０への各突部８，９の接触は面接触よりもむしろ点接触に近い。これにより、電線１０の押圧力が分散されにくく、電線１０が各壁部１１，１２に強く押し付けられ、車両走行中の振動や電線１０の引張や曲げ等による電線１０のガタや振れやずれ等が防止され、それにより、端子６が振れやずれ等なく一定の位置に保持され、雄・雌の端子相互の磨耗や接触不良等が防止される。
【００３８】
突部８，９と電線１０との接触は前後のテーパ状の傾斜面８ａ，８ｂ，９ａ，９ｂによって無理なく行われる。前後の傾斜面８ａ，８ｂ，９ａ，９ｂが絶縁被覆に押接することで、絶縁被覆に無理な応力がかからず、絶縁被覆の傷付き等が防止される。従来（図６）においては突壁部７０がエッジで絶縁被覆に押接していたために、絶縁被覆が傷付く恐れがあったが、本実施例の突部８，９によれば、絶縁被覆に鋭いエッジで当接することがないから、経時的にも絶縁被覆の傷みや劣化が防止される。
【００３９】
本実施例のように、各電線１０に対応する後側の電線収容部１３，１４を上段と下段とで長さを変えて段付きにし、スペーサ７も同様に上下で段付きにすることで、上下の電線１０を同一方向から一つのスペーサ７で同時に押圧することができる。
【００４０】
スペーサ７の本係止状態で、上下の各端子６はスペーサ７によって二次係止されている。すなわち、スペーサ７の基壁部２７と上壁部２９の前端側の各突部３５〜３８（図２）によって、端子６の電気接触部５０の後段部４０が係止されている。各突部３５〜３８は電気接触部５０の後段部４０の幅方向両側に当接する。これにより、端子６が強固に二次係止され、端子６の後抜けが確実に防止される。コネクタハウジング１とスペーサ７とフロントホルダ２５と端子６とで雄型のコネクタ５６が構成される。
【００４１】
なお、上記実施例においては上下二段に端子６を収容して、上下二段の電線１０を同時に押圧する構造を示したが、例えば上中下と三段ないしそれ以上に端子収容部（図示せず）を設け、開口部（スペーサ収容部）を階段状に三段ないしそれ以上の段に形成し、スペーサ（図示せず）を開口部と同様に三段ないしそれ以上の段に形成することで、三段ないしそれ以上の電線をスペーサで同時に押圧することも可能である。また、上記スペーサの電線押圧用の突部とコネクタハウジングの開口部内の段付きの電線収容部の構造は、フロントホルダを用いないコネクタにおいても適用可能である。
【００４２】
【発明の効果】
以上の如く、請求項１記載の発明によれば、コネクタハウジング内にスペーサを挿入することで、一つのスペーサで複数段の端子付きの電線の押圧を同時に行うことができる。それにより、従来のような二つのスペーサを用いる必要がなくなり、部品点数の削減と部品組付工数の低減が達成される。また、スペーサが一つで済むから、従来のように端子を背中合わせに配置する必要がなくなり、端子を同方向に向けて収容することができ、コネクタの多極化に対応可能となる。また、従来のようなスペーサの平面的な壁部ではなく、スペーサの突部で電線を押圧するから、電線が強く電線収容部側の壁部に押し付けられて、車両の振動等による電線のガタ付きが確実に抑止される。それにより、端子相互の磨耗や接触不良が確実に防止される。
【００４３】
また、請求項２，３記載の発明によれば、スペーサを挿入することで、一段目の突部が一段目の電線を段差壁部に押し付け、それと同時に二段目の突部が二段目の電線を壁部に押し付けて、各段の電線のガタ付きが防止される。それにより、上下二段に端子を収容するコネクタにおいて、請求項１におけると同様に、部品点数の削減と部品組付工数の低減が達成されると共に、端子の向きが同一化され、且つ突部により上下の電線が確実に押圧されてガタ防止される。また、請求項４記載に発明によれば、スペーサの上下の突出部によって上下二段の端子が同時に係止される。前記電線押圧用の突部と端子係止用の突出部とをスペーサに別々に設けたから、各部の機能が正確化し、特に電線の押圧を確実に行うことができる。また、請求項５記載の発明によれば、突部で電線を押圧した際に、突部の傾斜面あるいは円弧面が電線に接触することにより、電線の傷付きや経時的な傷みが防止される。また、請求項６記載に発明によれば、スペーサ収容部内において端子支持部で端子が安定に支持されるから、スペーサ挿入時の振動等で端子がスペーサ収容部内に落ち込むことがなく、スペーサの組付を確実に行うことができる。
【図面の簡単な説明】
【図１】本発明に係るコネクタの電線ガタ防止構造の一実施例を示す縦断面図である。
【図２】スペーサを示す後面図である。
【図３】スペーサを仮係止した状態を示す縦断面図である。
【図４】スペーサを本係止した状態を示す縦断面図である。
【図５】従来例を示す分解斜視図である。
【図６】従来例の組付状態を示す縦断面図である。
【符号の説明】
１                      コネクタハウジング
３                      開口部（スペーサ収容部）
６                      端子
７                      スペーサ
８，９                  突部
８ａ，８ｂ，９ａ，９ｂ  傾斜面
１０                    電線
１１                    上壁（壁部）
１２                    底壁（壁部）
１２ａ                  段差壁部
１３，１４              電線収容部
１８                    端子支持部
２７                    基壁部
２９                    上壁部（外壁部）
３１                    端子収容部
３５〜３８              突出部
５６                    コネクタ
【図１】
0003542072.tif 000002
【図２】
0003542072.tif 000003
【図３】
0003542072.tif 000004
【図４】
0003542072.tif 000005
【図５】
0003542072.tif 000006
【図６】
0003542072.tif 000007